(57)【要約】【課題】本発明は一部の変更のみで多種のＩＣカード、通信方式に対応し、磁気カードの操作時にも保持しやすい携帯決済端末を提供する。【解決手段】携帯決済端末を上ケースと下ケースとで構成し、前記上ケースにキーボード部を、下ケース通信カード収納部と、ＩＣカードリーダーライター部と、を有する構成とする。これにより下ケース部の変更のみで多種のＩＣカード、通信方式に対応できる。  また前記磁気カードリーダーユニットをキーボード部の操作面と平行にする。【選択図】図２
2006099599.tif 000002
【特許請求の範囲】
【請求項１】
上ケースと、下ケースとで構成する筐体を有し、前記上ケースにロール紙収納部、印字部、用紙排出部を有する印字部と、表示部とキーボード部とを有し、
前記下ケース通信カード収納部と、ＩＣカードを保持し、前記ＩＣカードと通信を行うＩＣカードリーダーライター部と、前記ＩＣカードを、取り出し代を残して筐体内に格納するＩＣカード挿入口と、電池収納部とを有する携帯決済端末筐体。
【請求項２】
筐体上部に前記印字部を設け、筐体中上部に前記表示部を設け、筐体中下部に前記キーボード部を設け、筐体下部に磁気カードリーダーユニットを設け、
前記、磁気カードリーダーに挿入する磁気カード移動面が前記キーボード部の操作面と平行である請求項１に記載の携帯決済端末。
【請求項３】
下ケースに設けた長方形で凹形の電池保持部と、長方形の電池保持部カバーと、前記電池保持カバーの一方の短辺に設けた前記下カバーに差し込みヒンジを形成するリブと、他方の短辺に設けた前記電池保持カバーを系止するストッパーと、前記電池保持部の前記ストッパー側の前記電池保持部の底部に設けた前記電池の隅と整合するコーナを有する弾性体で形成した脱落防止部と、前記電池と前記電池保持部との間隙が前記弾性体を保持するものである電池保持部を有する形態決済端末。
【請求項４】
前記ＩＣカード挿入部にＩＣカードが挿入されていることを検出するＩＣカード検出手段と、
前記キーボード部が操作される際、あるいは操作終了時に前記表示部、あるいは警告音を発する警告部の少なくとも1つにより前記ＩＣカードが挿入されていることを示す請求項１に記載の携帯決済端末。
【発明の詳細な説明】
【技術分野】
【０００１】
本発明はプリンター、ＩＣカードリーダーライター、磁気カードリーダー、表示部、操作部を有する一体型の携帯決済端末に関する。
【背景技術】
【０００２】
従来より、物流業者等では荷物の集荷、配達に際し、プリンター、ＩＣカードリーダーライター、磁気カードリーダー、表示部、操作部を有する一体型の携帯決済端末が使用されている。この種の携帯決済端末は機能が集約され、物品配送等において、顧客のところで集金等をＩＣカード、磁気カードで決済で行い、受取証等の発行ができる。
【０００３】
（例えば特許文献１参照）。
【特許文献１】特開平１０−３０４０３５号公報（段落（０００９）−段落（００１２）、図４）。
【発明の開示】
【発明が解決しようとする課題】
【０００４】
しかしながら、従来の携帯決済端末においては、印字部、表示部、キーボード部、磁気カードリーダーユニット部、通信カード収納部、ＩＣカードリーダーライター部、を一体で形成した筐体に組み込んでいた。このため、技術変化の激しい通信カード、ＩＣカードを最新の仕様にあわせようとすると、筐体全体を再設計しなければならないという問題があった。
【０００５】
また、磁気カードを磁気カードリーダーのスリットを、手動で通過させる際、片手で携帯決済端末を保持しつつ、もう一方の手で、操作面に垂直に磁気カードを通過させるため、携帯決済端末に磁気カードを端末に押し付けることによるモーメントと磁気カードを移動させることによるモーメントの２つのモーメントが携帯決済端末を支持する手首にかかり、保持のし難さを発生させるという問題があった。
【０００６】
また、携帯決済端末はその使用状況から、手から落下してしまう可能性を常に有している。このため落下時に重量物である電池に想像以上の力が加わって電池がはずれ、データがすべて消えてしまうこともあった。この事態を回避するために、電池そのもの、あるいは電池保持部のカバーを別部品のネジ等で固着しなければならないという問題があった。
【０００７】
また上記の構成とするとキーボードとＩＣカード挿入口を対面に設けることとなる。またＩＣカードはキーボードの操作中、携帯決済端末と通信する必要があり、操作している最中にＩＣカードの存在を忘れ、カードを取り忘れる可能性が磁気カードを用いた場合より格段に高かった。
【０００８】
本発明は、従来の問題を解決するためになされたもので、ＩＣカード、通信カードの変更が容易で、磁気カードの使用時に保持が容易で、落下時も電池が外れることによるデータの消去を防止し、上下に分割して機能を集約してもＩＣカードの取り忘れが生じない携帯決済端末を提供することを目的とする。
【課題を解決するための手段】
【０００９】
本発明の携帯決済端末は筐体を上ケースと、下ケースとで構成し、前記上ケースにロール紙収納部、印字部、用紙排出部を有する印字部と、表示部とキーボード部と、磁気カー
ドリーダーユニット部とを有し、前記下ケース通信カード収納部と、ＩＣカードを保持し、前記ＩＣカードと通信を行うＩＣカードリーダーライター部と、前記ＩＣカードを、取り出し代を残して筐体内に格納するＩＣカード挿入口と、電池収納部と、を有する。
【００１０】
この構成により、下ケース部の変更のみで多種のＩＣカード、通信方式に対応できる。さらに将来よりスペースが必要な状況になっても下ケースのみの厚さを増加させ、いかなる変更にも対応することができる。
【００１１】
また本発明の携帯決済端末は、筐体上部に前記印字部を設け、筐体中上部に前記表示部を設け、筐体中下部に前記キーボード部を設け、筐体下部に前記磁気カードリーダーユニットを設け、磁気カードリーダーに挿入する磁気カード移動面が前記キーボード部の操作面と平行にしている。
【００１２】
このため磁気カードの操作時にも手首に最小のモーメントしかかからず、しかも発生するモーメントは使用者にとって保持しやすい方向のものである。
【００１３】
また本発明の携帯決済端末は、長方形の電池保持部カバーの一方の短辺に設けた前記下カバーに差し込み、ヒンジを形成するリブと、他方の短辺に設けた前記電池保持カバーを系止するストッパーと、前記電池保持部の前記ストッパー側に設けた前記電池保持部底部に固着され、前記電池を保持するコーナを有する弾性体で形成した脱落防止部とを有する。
【００１４】
この構成により樹脂で作成した電池カバーの樹脂弾性を利用した系止部でも電池の落下を防止することができ、電池保持部を単純な構成にすることができる。
また、前記ＩＣカード挿入部にＩＣカードが挿入されていることを検出するＩＣカード検出手段と、前記キーボード部が操作される際、あるいは操作終了時に前記表示部、あるいは警告部の少なくとも1つにより前記ＩＣカードが挿入されていることを示す。
【００１５】
この構成により上述の筐体構成としてもＩＣカードの取り忘れを防止することができる。
【発明の効果】
【００１６】
本発明は下ケース部および下ケースに付随する部品の変更のみで多種のＩＣカード、通信方式に、また将来の変更にも対応することができる。また、磁気カードの操作時にも手首に最小のモーメントしかかからず、しかも発生するモーメントは使用者にとって保持しやすい方向のものとなる。また電池保持部を単純な構成にしながら電池の落下によるデータの消去を防止することができるものである。
【発明を実施するための最良の形態】
【００１７】
以下、本発明の実施の形態の携帯決済端末について、図面を用いて説明する。
【００１８】
図１は本願発明の携帯決済端末の正面図であり、図９は構成を示すブロック図であり、図２は本願発明の携帯決済端末の下面図であり、図３は本願発明の携帯決済端末の断面図である。表示部１６の上方に領収書、受取証を印刷するための印刷部があり印字のための感熱紙であるロール紙１４をロール紙収納部１３に収納し、ローラー１７の紙送りと同期した印字部１７への通電により必要な事項を印字する印字した紙は用紙出口１５が表示部のすぐ近くに設けられているため、表示と印字内容の照合が容易である。
【００１９】
操作部は表示部のすぐ下に設けられているため操作しながら表示、印字を確認する。
携帯決済端末の下部には図２および断面図である図３から明らかなように磁気カードリー
ダーユニットの磁気カード呼び込み部１１のスリットが設けられている。スリットを装置下部に、操作面と平行な方向にスリットを設けると、操作面に垂直に磁気カード読み込み部のスリットを設けた場合、手で持つために厚みの取れない操作面垂直方向にスリットを設けた場合と比べて、図１の上下方向は筐体の補強、構成が長く取れるため、強度を確保し易い。
【００２０】
またロール紙収納部１３、印字部１７、用紙出口１５、主基板３、キーボード１２、磁気カードリーダーユニット１０、制御基板４を上ケース１に実装し、通信カード収納部２０を下ケースに実装している。通信カード収納部２０とＩＣカードリードライトユニットは制御基板４に接続しており、制御基板４で所定の電気信号に変換する。フレキシブル基板で形成された接続ケーブル２１により主基板と所定の電気信号で信号の交換を行い、外部との通信、ＩＣカードとの通信を行う。通信カードとしてはブルートゥース信号、無線LAN、一般公衆回線のカードを収納し、必要に応じて通信カードを交換するが、一般向けの通信カード使用した場合に加え、今後新たな通信カードを実装する必要が発生した場合は、制御基板上のサブCPUでインターフェースの差を吸収することができるため、主基板３、また上ケース１に装着されている部分については、変更が不要である。
【００２１】
次に図４、および図５を用いて磁気カードを読み込む場合の操作について説明する。
【００２２】
キーボード１２の操作により、磁気カード読み込み待ち状態をセットする。その後磁気カード４２を磁気カード読み込み部１１のスリットの挿入し、ある程度の速さでスリット内を通過させる。読み込みが正常に終了した場合は表示部に「読み込み成功」を表すシンボル、あるいは「読み込み成功」を表示する。この際に携帯決済端末を図５に示すように左手で保持するが、磁気カードを右手で保持してスリットを通過させる際に携帯決済端末には図５で携帯決済端末を上方に押し上げる方向にカードを押し付けながら移動させる。このためかオード読み込みの初期には装置右側を押し上げる方向に力がかかりカード読み込み半ばでは装置全体を押し上げるように力がかかり、カード読み込み後半では装置の左側を押し上げる方向に力がかかるが、これらの力はすべて手の平を回転しようとする向きに発生するため、その保持は容易である。
【００２３】
またＩＣカード挿入部６にＩＣカード５を挿入し、ＩＣカード内の情報を基に決済処理を行うが、このとき、ＩＣカード５との通信があるため、ＩＣカード５をＩＣカードリーダーライターユニット７とＩＣカード５が接続した状態でキーボード１２を操作しなければならない。このためカード５とＩＣカードリーダーライターユニット７が通信可能な状態であることを制御基板４で検出し、通信可能であればＩＣカード５が挿入されていると判断し、表示部に「ＩＣカードあり」あるいはその旨を示す表示を示す。または主基板に設けた警告部91のブザーによりキーボードから操作終了を示す入力がされた場合に警告音を出して、ＩＣカードの存在を示す。
【００２４】
次に図６、図7、図8に本願発明の携帯決済端末装置の電池保持部について説明する。電池の装着方法を図8を用いて説明する。当初電池保持部カバーをのぞいた状態を図8（a）に示す。電池８は図８（ｂ）に示すように、斜め上方から挿入する。この際に脱落保持部材６４は可倒性賀あるため、コの字型を押し広げて電池を挿入する（図８（ｂ）、図8（ｃ）参照）。その後、電池８を設置し、電池保護カバーのリブを下ケースの溝に差し込んで系止し、電池保護カバー１８を閉めると爪状のストッパー６３が系止部に系合し、電池８を保持する（図８（ｄ）参照）。このようにして電池８を収納部６１内に収める。携帯決済端末が落下して電池に衝撃がかかる場合、電池保持部カバー１８で電池を押えるが、電池保持部カバー１８の一方にはリブ１８が形成され、他の一方には樹脂の弾性を利用した系止するストッパー６３が形成してある。またストッパー側には可倒性のあるシートでコーナ６４を有する脱落防止部材９が設けてある。電池の着脱に際しては脱落防止部材９
は可倒性を有しているため、電池を電池保護カバー１８のリブ側から引き出せば用意に取り出すことができが、電池を収納し、電池保護カバー１８を装着した場合においては電池、電池収納部の隙間が狭く、脱落防止部１８が倒れる隙間が無い。またコーナと電池の角が近いため落下により電池に働く力が発生するコーナ６４を広げようとするモーメントは、可倒性部材の保持力と比較し、十分に小さい。このため、可倒性材料（プラスチックシートが好ましい）で形成された脱落防止部材９で携帯決済端末落下の瞬間に電池８を保持することができる。この結果、電池保護部カバー８の系止部は一般的なプラスチックの弾性を利用した爪でも、落下時に十分に電池８を保持することができ、データの消去を防止できる。
【産業上の利用可能性】
【００２５】
以上のように、本発明にかかる発明は物流、その他、プリンター、ＩＣカードリーダーライター、磁気カードリーダーが一体となった、通信を行う携帯決済端末として有用である。
【図面の簡単な説明】
【００２６】
【図１】本発明の携帯決済端末の正面図
【図２】本発明の携帯決済端末の下面図
【図３】本発明の携帯決済端末の断面図
【図４】本発明の携帯決済端末の磁気カード読み取り時を示す図
【図５】本発明の携帯決済端末の磁気カード読み取り時を示す正面図
【図６】磁気電池収納部、電池保護カバー、電池、脱落防止部材を示す斜視図
【図７】（ａ）電池保護カバーの正面図、（ｂ）電池収納部を示す断面図
【図８】電池の装着状態を示す図
【図９】本発明の携帯決済端末のブロック図
【符号の説明】
【００２７】
１  上ケース
２  下ケース
３  主基板
４  制御基板
５  ＩＣカード
６  ＩＣカード挿入口
７  ＩＣカードリーダーライターユニット
８  電池
９  脱落防止部材
１０  磁気カードリーダーユニット
１１  磁気カード呼び込み部
１２  キーボード
１３  ロール紙収納部
１４  ロール紙
１５  用紙出口
１６  表示部
１７  印字部
１８  電池保護カバー
１９  ローラー
２０  送信カード収納部
２１  接続ケーブル
４２  磁気カード
６１  電池収納部
６２  リブ
６３  ストッパー
６４  コーナ
９１  警告部
【図１】
2006099599.tif 000003
【図２】
2006099599.tif 000004
【図３】
2006099599.tif 000005
【図４】
2006099599.tif 000006
【図５】
2006099599.tif 000007
【図６】
2006099599.tif 000008
【図７】
2006099599.tif 000009
【図８】
2006099599.tif 000010
【図９】
2006099599.tif 000011